(57)【要約】      （修正有）【課題】安価で風合いの変わらない制電性を有する制電上着を提供する。【解決手段】制電上着は、表地２とキルティング裏地３とを有する。キルティング裏地３は綿６と布４を重ね合わせ、ミシンステッチの上糸７と下糸８を縫い付けてキルティング地に形成されている。下糸８に制電糸が使用され、上糸７に非制電糸が使用される。キルティング裏地３は下糸８を縫いつけた側が表地２に向い合うよう縫合されている。キルティング裏地のミシンステッチの下糸に制電糸を使用しているため、制電上着を安価で形成することができ、かつ制電糸は制電上着の表面、裏面から目立たない。【選択図】図３
0003213688.tif 000002
【実用新案登録請求の範囲】
【請求項１】
表地とキルティング裏地とを有する制電上着であって、前記キルティング裏地は綿と布を重ね合わせ、ミシンステッチの上糸と下糸を縫い付けてキルティング地に形成され、前記下糸には制電糸が使用され、前記上糸には非制電糸が使用されており、
かつ、前記キルティング裏地は、前記下糸を縫いつけた側が前記表地に向い合うよう縫合されていることを特徴とする制電上着。
【考案の詳細な説明】
【技術分野】
【０００１】
本考案は、制電性を有する制電上着に関するものである。
【背景技術】
【０００２】
人体に静電気が溜まると、ドアや扉、人の手に触った瞬間に放電が生じる。特に、火災や爆発を生じやすい環境においては、静電気帯電による火花、スパークは禁物である。例えば、特許文献１には、帯電防止用の作業服が開示されている。この作業服は制電用布地が使用される。制電用布地は、経糸及び緯糸として導電糸を織り込んでおり、帯電した静電気を除去する。
【０００３】
特許文献２は、布帛に対して上糸と下糸を縫い付ける際に、下糸を導電糸とし、上糸を非導電糸とし、例えばミシンにより縫い付ける例が示されている。この布帛構造では、導電糸の屈曲部(上糸との交差部)よりも直線部分の長さを長くすることにより、導電糸の断線を抑止する。さらに、導電糸と非導電糸の別のセットをさらに設けることにより、他の導電糸のセットと組み合わせて、導電糸の間の静電容量の変化や、カーボン粒子を用いた抵抗値の変化などを利用した各種の圧力センサ(例えば自動車の着座センサ等)として使用可能である。
【先行技術文献】
【特許文献】
【０００４】
【特許文献１】特開２００１−７３２０７号公報
【特許文献２】特開２０１３−１４７７６５号公報
【考案の概要】
【考案が解決しようとする課題】
【０００５】
導電糸は一般に柔軟性に欠け、その色は一般的に黒色ないし灰色であり、また高価である。特許文献１のように、織物や編み物の経緯糸として用いる場合、結果として導電糸を多く含むことになり、布地は風合いに欠け、コスト高になるという問題がある。
一方、特許文献２においては、導電糸の直線部の長さを長くして断線を抑止しているが、非導電糸との交差点は、布帛の厚さの中、特に下糸(導電糸)側にあるのが望ましいとされている。よって、特許文献２において電極として用いられるのは布帛の下糸側である。
本考案は、安価で風合いの変わらない制電性を有する上着を提供することを目的とする。
【課題を解決するための手段】
【０００６】
上記目的を達成するために、本考案の制電上着は表地とキルティング裏地とを有する制電上着であって、前記キルティング裏地は綿と布（布帛、不織布を含む）を重ね合わせ、ミシンステッチの上糸と下糸を縫い付けてキルティング地に形成され、前記下糸には制電糸が使用され、前記上糸には非制電糸が使用されており、
かつ、前記キルティング裏地は、前記下糸を縫いつけた側が前記表地に向い合うよう縫合されている。
【考案の効果】
【０００７】
本考案によれば、キルティング裏地のミシンステッチの下糸に制電糸を使用しているため、制電上着を安価で形成することができ、制電糸が表面に殆ど表れないので、制電糸による布地の風合や外観を気にすることがない。
【図面の簡単な説明】
【０００８】
【図１】本考案に係る制電上着の前面を開いた状態の正面図である。
【図２】キルティング裏地の一部をめくった状態の参考図である。
【図３】制電上着の横断面を示した図である。
【考案を実施するための形態】
【０００９】
以下、本考案に係る制電上着の一実施の形態について、図１〜図３に基づいて説明する。
図１は本考案に係る制電上着の前面を開いた状態の正面図を示している。制電上着１は表地２の内側にキルティング裏地３を有し、表地２はキルティング裏地３に対して殆どの部分で縫い付けられておらず、互いに重ねられている状態である。
【００１０】
図２は本実施例に係る制電上着１に使用するキルティング裏地３の一部をめくった状態を示している。キルティング裏地３は布４と綿６を重ねあわせる。ミシン糸の上糸７と下糸８が絡み合うミシンステッチにより、上糸７及び下糸８によりダイヤ柄の模様が形成されたキルティング地に形成される。ミシン糸の上糸７は非導電糸、下糸８は制電糸からなる。制電糸は非制電糸に比べて柔軟性が少ないため、下糸として扱うことが望ましい。なお、制電糸としては、自ら電荷を放電する放電糸や、アース接続により電荷を接地する導電糸等の種類が存在するが、どちらでもよい。放電糸を用いた場合には、接地電極を設定しなくてよいため、望ましい。キルティング裏地３の布４側に上糸７と下糸８の交差点が表れるように、布４の側から上糸７を、その反対側から下糸８をミシンにより縫い付ける。
【００１１】
また、綿６を挟んで布４の反対側に布（布帛、不織布を含む。以下、内布５と称す）を重ねてからミシンステッチをしてもよい。この場合において、内布５は表地２の網目が粗く、表地２の網目から綿６が出てきてしまう際に設けることが望ましい。図示例では、キルティング裏地３は布４、内布５及びこれらの間に介在する綿６となっている。内布５側から制電糸である下糸８を、布４側から非制電糸である上糸７をミシン縫いして絡ませる。
【００１２】
図３は、制電上着１の横断面を示している。制電上着１は、表地２の下側にキルティング裏地３の内布５側が配置されている。着用者の体表面側は、布４である。この配置により、キルティング裏地３の布４側においては、上糸７が主に表れており、一方、制電糸である下糸８はミシン縫いによる交差点にしか現れていない。よって、下糸８がどのような色であっても、殆ど目に触れることができず判別できない。
【００１３】
キルティング裏地３の布４の反対側（綿６側、内布５を用いた場合は内布５側）には、主に下糸８が現れているが、制電上着１の表地２と向かい合い覆われているため、下糸８は表地２により隠されており、制電上着１の表面には現れない。よって、制電糸である下糸８は、制電上着１の表面側からも裏側からも、その存在を隠した状態になっている。
【００１４】
着用者に対して電気的に接触するのは、キルティング裏地３においてミシン縫いによる上糸７との交差点のみである。キルティング裏地３の着用者の体表面側の交差点に現れる下糸８により、着用者が帯びた電荷が下糸８側に伝達される。
【００１５】
交差点に存在する制電糸は、綿６の中に埋もれた状態であるが、制電上着１が加圧状態にあるときに綿６が押しつぶされて、着用者に接触する。加圧状態とは、腕を折り曲げたとき、体を動かして制電上着１が伸びたとき、および荷物の紐を肩から下げたとき等である。それぞれの機会毎に制電糸は、着用者に接触し電荷を奪い取る。よって、交差点におけるようなごく限られた接触においても、十分に制電効果を発揮することができる。
【００１６】
このように、本実施例においては、制電糸の使用は、キルティング裏地３のミシンステッチの下糸８に限られるため、制電上着１を安価で形成することができる。また、制電上着１の表面、裏面に制電糸が殆ど表れないので、表面、裏面から目立たず、制電糸による布地の風合や外観を気にすることがない。また、制電糸は、殆ど隠された状態であって、物理的な破壊にさらされることが少なくなる。
【符号の説明】
【００１７】
１    制電上着
２    表地
３    キルティング裏地
４    布
５    内布
６    綿
７    上糸
８    下糸
【図１】
0003213688.tif 000003
【図２】
0003213688.tif 000004
【図３】
0003213688.tif 000005